(57)【特許請求の範囲】
【請求項１】
共通のチャネルを使用し、複数の無線端末局で構成され、データ送信時にＣＳＭＡ／ＣＡに基づくアクセス制御に従う無線通信システムにおいて、
送信要求のある無線端末局は、チャネルがアイドル状態であることを確認した場合に、０〜Ｎ（Ｎは自然数）の間に一様分布する乱数を発生させ、得られた乱数値に基本単位時間（スロット時間）を掛けて、送信待ち時間を設定し、
スロット時間に渡ってチャネルがアイドル状態である場合に、スロット時間相当の送信待ち時間を減らし、送信待ち時間が０になった場合に、パケットの送信を開始し、
一方、送信待ち時間が経過する前に他の無線端末局が送信したパケットを検出した場合は、パケットの送信を行わず、待機状態を維持し、
また、送信要求の無い無線端末局は、チャネルがアイドル状態であることを確認した場合に、０〜Ｎ（Ｎは自然数）の間に一様分布する乱数を発生させ、得られた乱数値に基本単位時間（スロット時間）を掛けて、送信待ち時間を設定し、
スロット時間に渡ってチャネルがアイドル状態である場合に、スロット時間相当の送信待ち時間を減らし、送信待ち時間が０になった場合に、パケットの送信を開始したと仮定して無線周波数の監視を続け、
同時に他の無線端末局が送信したパケットを検出した場合は、設定された送信待ち時間が最適な値よりも小さいと判断し、
一方、送信待ち時間が０になった場合に、パケットの送信を開始したと仮定して無線周波数の監視を続け、同時に他の無線端末局が送信したパケットを検出しなかった場合は、設定された送信待ち時間が最適な値よりも大きいと判断し、
また、一方、送信待ち時間が経過する前に他の無線端末局が送信したパケットを検出した場合は、パケットの送信を行わず、待機状態を維持し、前記無線端末局が送信待ち時間を決定する際に、予め決められた時間内に最適な値よりも小さいと判断した回数が閾値を超えた場合に送信待ち時間を決定する乱数発生範囲（０〜Ｎ）を広げ、また最適な値よりも大きいと判断した回数が閾値をこえた場合に送信待ち時間を決定する乱数発生範囲（０〜Ｎ）を縮小することを特徴とする無線パケット送信制御方法。
【発明の詳細な説明】
【０００１】
【発明の属する技術分野】
本発明は、複数の無線端末局が、共通のチャネルを使用し、データ送信時にＣＳＭＡ／ＣＡ（Carrier Sense Multiple Access with Collision Avoidance）に基づくアクセス制御に従う無線通信システムにおいての、無線端末局の無線パケット送信制御方法に関する。
【０００２】
【従来の技術】
従来の無線パケット送信制御方法について無線ＬＡＮの標準化を行っているＩＥＥＥ８０２．１１で定められているＣＳＭＡ／ＣＡ（Carrier Sense Multiple Access with Collision Avoidance)(IEEEP802.11/D8.0,Part11:Wireless LAN  Medium Access Control(MAC)and Physical Layer(PHY)specifications）を用いて説明する。
【０００３】
無線端末局は、常にキャリアセンスを行い、チャネルが未使用の場合には、チャネルがアイドル状態にあると判断し、チャネルが使用中の場合にはビジー状態にあると判断する。送信要求のある無線端末局はキャリアセンス時間（ＴＤ）に渡ってチャネルがアイドル状態にあると認識した場合には、直ちにパケットの送信を行い、ビジー状態にあると認識した場合には０〜Ｎ（Ｎは自然数）の間に一様分布する乱数を発生させ、得られた乱数値にスロット時間を掛け送信待ち時間を設定する。
【０００４】
そして、キャリアセンス時間（ＴＤ）に渡ってチャネルがアイドル状態にあることを認識した後、さらにスロット時間に渡ってチャネルがアイドル状態である場合に、スロット時間相当の送信待ち時間を減らし、送信待ち時間が０になった場合にパケットの送信を行う。パケットを受信した無線端末局は、必要に応じて所定の優先アクセス時間（ＴＳ，ＴＳ＜ＴＤ）経過した後、送信元にパケットを正しく受信したことを示す応答パケットを送信する。
【０００５】
図５及び図６は，従来技術により無線端末局が送信待ち時間を決定しパケットを送信するまでのシーケンスを示すフローチャートである。送信要求のある無線端末局は、キャリアセンス時間（ＴＤ）に渡ってチャネルがアイドル状態であることを確認した場合（Ｓ１０２）に、０〜Ｎ（Ｎは自然数）の間に一様分布する乱数を発生させ、得られた乱数値に基本単位時間（スロット時間）を掛けて、送信待ち時間を設定し（Ｓ１０３）、送信待ち時間のカウントを開始する（Ｓ１０４）。
【０００６】
スロット時間に渡ってチャネルがアイドル状態でない場合は送信待ち時間カウント用タイマを停止し（Ｓ１１５）、一方、スロット時間に渡ってチャネルがアイドル状態である場合に（Ｓ１０５）、スロット時間相当の送信待ち時間を減らし、送信待ち時間が０になることで決定した送信待ち時間が経過したと判断した場合（Ｓ１０６）に、パケットを送信（Ｓ２０７）する。
【０００７】
送信が成功した場合（Ｓ１０８）には送信待ち時間を決定する乱数選択範囲を初期状態に戻し（Ｓ１０９）、続いて送信要求があれば再びパケット送信処理（Ｓ１１０）を行い一方送信要求が無ければパケット送信処理を終了する（Ｓ１１１）。
【０００８】
また、送信が成功しなかった場合、再送回数が上限を超えていなければ（Ｓ１１２）、送信待ち時間を拡大し（Ｓ１１３）再びパケット送信処理を行い、再送回数が上限を超えていればパケットを破棄し（Ｓ１１４）、パケット送信処理を終了する。
【０００９】
図７及び図８は無線端末局（ＳＴＡ１〜ＳＴＡ５）がＣＳＭＡ／ＣＡによる分散制御を行った際のパケット単位の無線パケット送信制御を説明する図である。無線端末局は常にキャリアセンスを行いチャネルの状態を認識している。
【００１０】
送信すべきパケットが発生したとき、キャリアセンス時間（ＴＤ）に渡ってチャネルがアイドル状態にあると認識した場合は、直ちにパケットを送信する。ビジー状態にあると認識した場合には０〜Ｎ（Ｎは自然数）の間に一様分布する乱数を引き、得られた乱数値にスロット時間を掛け送信待ち時間を設定する。
【００１１】
キャリアセンス時間（ＴＤ）に渡ってチャネルがアイドル状態にあることを認識した後、さらにスロット時間に渡ってチャネルがアイドル状態である場合に、スロット時間相当の送信待ち時間を減らし、送信待ち時間が０になった場合にパケットの送信を行う。
【００１２】
無線端末局（ＳＴＡ１）は送信すべきパケットが発生したとき、（Ｔ１１０）でキャリアセンス時間（ＴＤ）に渡ってチャネルがアイドル状態にあると認識しているので、直ちにパケット（Ｐ１０１）を送信する。
【００１３】
無線端末局（ＳＴＡ２）はＰパケット（Ｐ１０１）を正常に受信し、その他の無線端末局（ＳＴＡ３〜５）はパケットの送信を検出し待機状態を維持する。無線端末局（ＳＴＡ２）はパケット（Ｐ１０１）を正常に受信し、優先アクセス時間（ＴＳ）経過後に応答パケット（Ａ１０２）を送信する。
【００１４】
無線端末局（ＳＴＡ１〜５）で無線周波数が未使用であると確認されない間にパケットの送信要求が発生したとする。キャリアセンス時間（ＴＤ）に渡ってチャネルがアイドル状態にあることを認識した後、時刻（Ｔ１２０）で無線端末局（ＳＴＡ１〜５）は０〜Ｎ（Ｎは自然数）の間に一様分布する乱数を引き、得られた乱数値にスロット時間を掛け送信待ち時間を設定する。
【００１５】
ここでＮの初期値が送信要求のある無線端末局数よりも少ないとする。無線端末局（ＳＴＡ１）及び無線端末局（ＳＴＡ５）は同じ送信待ち時間（１スロット時間）を選択し、送信待ち時間が経過した後、同時にパケットの送信を行う。
【００１６】
パケットは正常に受信されず確認応答パケットが返ってこないため、無線端末局（ＳＴＡ１）及び無線端末局（ＳＴＡ５）はパケット送信が失敗したと判断、選択範囲を拡大し、０〜Ｎ´（Ｎ´は自然数、Ｎ＜Ｎ´）の間に一様分布する乱数を引き、得られた乱数値にスロット時間を掛け送信待ち時間を設定する。
【００１７】
時刻（Ｔ１３０）において無線端末局（ＳＴＡ２）及び無線端末局（ＳＴＡ３）及び無線端末局（ＳＴＡ４）は同じ送信待ち時間（１スロット時間）を選択し、送信待ち時間が経過した後、同時にパケットの送信を行う。
【００１８】
パケットは正常に受信されず確認応答パケットが返ってこないため、無線端末局（ＳＴＡ２）及び無線端末局（ＳＴＡ３）及び無線端末局（ＳＴＡ４）はパケット送信が失敗したと判断、選択範囲を拡大し、０〜２Ｎ（Ｎは自然数）の間に一様分布する乱数を引き、得られた乱数値にスロット時間を掛け送信待ち時間を設定する。
【００１９】
時刻（Ｔ１４０）において無線端末局（ＳＴＡ１）はキャリアセンス時間（ＴＤ）に渡ってチャネルがアイドル状態にあることを認識した後、さらにスロット時間に渡ってチャネルがアイドル状態である場合に、スロット時間相当の送信待ち時間を減らし、送信待ち時間が０になった場合にパケットの送信を行う。無線端末局（ＳＴＡ２）はパケット（Ｐ１０４）を正常に受信し、その他の無線端末局（ＳＴＡ３〜５）はパケットの送信を検出し待機状態を維持する。
【００２０】
無線端末局（ＳＴＡ２）は、パケット（Ｐ１４４）を正常に受信し、優先アクセス時間（ＴＳ）経過後に応答パケット（Ａ１４２）を送信する。パケットの送信に成功した無線端末局（ＳＴＡ１）は送信待ち時間の選択範囲をＮに戻す。このように無線パケット送信制御を行いパケットの衝突を回避することが可能である。
【００２１】
【発明が解決しようとする課題】
従来の無線パケット送信制御方法では送信待ち時間を決定する乱数の選択範囲が送信要求を持つ無線端末数を下回る場合、衝突確率が高くなる。このとき、パケットの衝突を繰り返しながら送信待ち時間を決定する乱数の選択範囲を広げていくことでパケットの衝突確率を下げていくが、その際に、パケットの再送によるスルーブットの低下が起こる。
【００２２】
また、送信要求のある端末数に応じた乱数の選択範囲を見つけたとしても、パケットの送信が成功した時点で乱数の発生範囲を初期値に戻すために、新たにパケットを送信するときには、再び衝突を繰り返して乱数の選択範囲を広げる手順を繰り返すことから、パケットの再送によるスループットの低下が起こる。
【００２３】
また、送信待ち時間を決定する乱数発生範囲の初期値を大きくとると、送信待ち時間が広くなりすぎる場合があり、送信待ち時間が経過するまでのアイドル時間の増加で、やはりスループットが低下する。本発明は、上記送信待ち時間を決定する乱数発生範囲の初期値が送信要求のある端末数に適した値を選択しないためにスループットの低下が起こるという従来の課題を解決することのできる無線パケット送信制御方法を提供することを目的とする。
【００２４】
【課題を解決するための手段】
本発明によれば、上述の課題は、前記特許請求の範囲に記載した手段によって解決される。すなわち、請求項１の発明は、共通のチャネルを使用し、複数の無線端末局で構成され、データ送信時にＣＳＭＡ／ＣＡに基づくアクセス制御に従う無線通信システムにおいて、
【００２５】
送信要求のある無線端末局は、チャネルがアイドル状態であることを確認した場合に、０〜Ｎ（Ｎは自然数）の間に一様分布する乱数を発生させ、得られた乱数値に基本単位時間（スロット時間）を掛けて、送信待ち時間を設定し、スロット時間に渡って、チャネルがアイドル状態である場合に、スロット時間相当の送信待ち時間を減らし、送信待ち時間が０になった場合に、パケットの送信を開始し、
【００２６】
一方、送信待ち時間が経過する前に他の無線端末局が送信したパケットを検出した場合は、パケットの送信を行わず、待機状態を維持し、また、送信要求の無い無線端末局は、チャネルがアイドル状態であることを確認した場合に、０〜Ｎ（Ｎは自然数）の間に一様分布する乱数を発生させ、得られた乱数値に基本単位時間（スロット時間）を掛けて、送信待ち時間を設定し、
【００２７】
スロット時間に渡ってチャネルがアイドル状態である場合に、スロット時間相当の送信待ち時間を減らし、送信待ち時間が０になった場合に、パケットの送信を開始したと仮定して無線周波数の監視を続け、同時に他の無線端末局が送信したパケットを検出した場合は、設定された送信待ち時間が最適な値よりも小さいと判断し、一方、送信待ち時間が０になった場合に、パケットの送信を開始したと仮定して無線周波数の監視を続け、同時に他の無線端末局が送信したパケットを検出しなかった場合は、設定された送信待ち時間が最適な値よりも大きいと判断し、
【００２８】
また、一方、送信待ち時間が経過する前に他の無線端末局が送信したパケットを検出した場合は、パケットの送信を行わず、待機状態を維持し、前記無線端末局が送信待ち時間を決定する際に、予め決められた時間内に最適な値よりも小さいと判断した回数が閾値を超えた場合に送信待ち時間を決定する乱数発生範囲（０〜Ｎ）を広げ、また最適な値よりも大きいと判断した回数が閾値をこえた場合に送信待ち時間を決定する乱数発生範囲（０〜Ｎ）を縮小する無線パケット送信制御方法である。
【００２９】
本発明は送信要求のある無線端末局、及び送信要求のない無線端末局が、チャネルを監視している際に、乱数を発生させ、これに基づいて設定した送信タイミングにおいて送信が成功するかどうかを判断して、常に最適な送信待ち時間を自律的に定めることが従来方式とは異なる。
【００３０】
【発明の実施の形態】
図１及び図２は本発明により無線端末局が送信待ち時間を決定するまでのシーケンスを示すフローチャートである。送信要求を持たない無線端末局および送信要求のある無線端末局が、キャリアセンス時間（ＴＤ）に渡ってチャネルがアイドル状態であることを確認した場合（Ｓ２０２）に、０〜Ｎ（Ｎは自然数）の間に一様分布する乱数を引き、得られた乱数値に基本単位時間（スロット時間）を掛けて、送信待ち時間を設定し（Ｓ２０３）、送信待ち時間のカウントを開始する（Ｓ２０４）。
【００３１】
スロット時間に渡ってチャネルがアイドル状態である場合に（Ｓ２０５）、スロット時間相当の送信待ち時間を減らし、送信待ち時間が０になることで決定した送信待ち時間が経過したと判断した場合（Ｓ２０６）に、送信要求がある場合（Ｓ２０７）には、パケットを送信する（Ｓ２０８）。
【００３２】
送信が成功した場合（Ｓ２０９）には送信待ち時間を設定する乱数選択範囲を縮めるパラメータの値を増加し（Ｓ２１０）、送信待ち時間を決定する乱数選択範囲を縮めるパラメータの値が閾値を超えた場合（Ｓ２１１）には送信待ち時間を決定する乱数選択範囲を縮小し（Ｓ２１２）、送信待ち時間を決定する乱数選択範囲を縮めるパラメータが閾値を超えない場合は現在の送信待ち時間を決定する乱数選択範囲を維持する。
【００３３】
一方、送信が失敗した場合には送信待ち時間を設定する乱数選択範囲を広げるパラメータの値を増やし（Ｓ２１３）、送信待ち時間を決定する乱数選択範囲を広げるパラメータの値が閾値を超えた場合（Ｓ２１４）には送信待ち時間を決定する乱数選択範囲を拡大し（Ｓ２１５）、送信待ち時間を決定する乱数選択範囲を広げるパラメータが閾値を超えない場合は現在の送信待ち時間を決定する乱数選択範囲を維持する。
【００３４】
一方送信要求がない場合にはチャネルの監視を続け（Ｓ２１６）、送信待ち時間が０となるタイミングで無線周波数が使用中でない場合（Ｓ２１７）には送信待ち時間を設定する乱数選択範囲を縮めるパラメータの値を減らし（Ｓ２１０）、送信待ち時間を決定する乱数選択範囲を縮めるパラメータの値が閾値を超えた場合（Ｓ２１１）には送信待ち時間を決定する乱数選択範囲を縮小し（Ｓ２１２）、送信待ち時間を決定する乱数選択範囲を縮めるパラメータが閾値を超えない場合は現在の送信待ち時間を決定する乱数選択範囲を維持する。
【００３５】
一方、送信待ち時間が０となるタイミングで無線周波数が使用中である場合には送信待ち時間を設定する乱数選択範囲を広げるパラメータの値を増やし（Ｓ２１３）、送信待ち時間を決定する乱数選択範囲を広げるパラメータの値が閾値を超えた場合（Ｓ２１４）には送信待ち時間を決定する乱数選択範囲を拡大し（Ｓ２１５）、送信待ち時間を決定する乱数選択範囲を広げるパラメータが閾値を超えない場合は現在の送信待ち時間を決定する乱数選択範囲を維持する。
【００３６】
一方、スロット時間に渡ってチャネルがアイドル状態である場合に（Ｓ２０５）、スロット時間相当の送信待ち時間を減らし、送信待ち時間が０になる前にキャリアを検出した場合（Ｓ２１８）には送信待ち時間カウント用タイマを停止し、チャネルの状態を監視しつづける。
【００３７】
図３は本発明による無線端末局（ＳＴＡ１〜５）の無線パケット送信制御方法を説明する図である。図４は図３中のパケッとやスロットの状態などの表示について説明する図である。無線端末局は、常にキャリアセンスを行い、チャネルが未使用の場合には、チャネルがアイドル状態にあると判断し、チャネルが使用中の場合にはビジー状態にあると判断する。無線端末局はＣＳＭＡ／ＣＡの手順に従いパケットの送信を行う。
【００３８】
キャリアセンス時間（ＴＤ）に渡ってチャネルがアイドル状態にあると認識した場合には直ちにパケットの送信を行いビジー状態にあると認識した場合には０〜Ｎ（Ｎは自然数）の間に一様分布する乱数を引き、得られた乱数値にスロット時間を掛け送信待ち時間を設定する。
【００３９】
ただし、送信待ち時間を決定する乱数の選択範囲は無線端末局が送信要求があるかないかによらず、任意の送信タイミングにおいて送信が成功するかどうかを判断し、最適な送信待ち時間を自律的に判定し続ける。
【００４０】
キャリアセンス時間（ＴＤ）に渡ってチャネルのアイドル状態を認識した後、さらにスロット時間に渡ってチャネルがアイドル状態である場合に、スロット時間相当の送信待ち時間を減らし、送信待ち時間が０になった場合でかつ、送信要求がある場合にパケットの送信を行うものとする。
【００４１】
パケットを受信した無線端末局は必要に応じて所定の優先アクセス時間（ＴＳ，ＴＳ＜ＴＤ）経過した後、送信元にパケットを正しく受信したことを示す応答パケットを送信する。
【００４２】
無線端末局（ＳＴＡ１〜５）は時刻（Ｔ３１０）でキャリアセンス時間（ＴＤ）に渡ってチャネルがアイドル状態にあると認識しているので、０〜Ｎ（Ｎは自然数）の間に一様分布する乱数を引き、得られた乱数値にスロット時間を掛け送信待ち時間（ＴＣＷ３１１，ＴＣＷ３１２，ＴＣＷ３１３，ＴＣＷ３１４，ＴＣＷ３１５）を設定する。
【００４３】
図面では無線端末局（ＳＴＡ１）はスロット時間０個分の送信待ち時間（ＴＣＷ３１１）を、無線端末局（ＳＴＡ２）はスロット時間０個分の送信待ち時間（ＴＣＷ３１２）を、無線端末局（ＳＴＡ３）はスロット時間３個分の送信待ち時間（ＴＣＷ３１３）を、無線端末局（ＳＴＡ４）はスロット時間０個分の送信待ち時間（ＴＣＷ３１４）を、無線端末局（ＳＴＡ５）はスロット時間２個分の送信待ち時間（ＴＣＷ３１５）を設定している。
【００４４】
無線端末局（ＳＴＡ１）はスロット時間０個分の送信待ち時間が経過し、かつ送信要求があるので直ちにパケットを送信する。無線端末局（ＳＴＡ２）はスロット時間０個分の送信待ち時間が経過したが送信要求がないのでパケットを送信せずに、チャネルを監視しつづける。
【００４５】
無線端末局（ＳＴＡ３）はスロット時間３個分の送信待ち時間が経過しないのでパケットを送信せずに、チャネルを監視しつづける。無線端末局（ＳＴＡ４）はスロット時間０個分の送信待ち時間が経過したが送信要求がないのでパケットを送信せずに、チャネルを監視しつづける。無線端末局（ＳＴＡ５）はスロット時間２個分の送信待ち時間が経過しないのでパケットを送信せずに、チャネルを監視しつづける。
【００４６】
無線端末局（ＳＴＡ２，ＳＴＡ４）は選択した送信待ち時間が０になると同時に無線端末局（ＳＴＡ１）がパケットを送信したことを検出し、無線端末局（ＳＴＡ２、ＳＴＡ４）自身の送信待ち時間を決定する乱数選択範囲を広げるパラメータの値を１つ増加する。パラメータの閾値（ここでは１とする）と比較し、送信待ち時間を決定する乱数選択範囲を広げる。
【００４７】
無線端末局（ＳＴＡ２）は無線端末局（ＳＴＡ１）からのパケットを正常に受信し、所定の優先アクセス時間（ＴＳ，ＴＳ＜ＴＤ）経過した後、無線端末局（ＳＴＡ１）にパケットを正しく受信したことを示す応答パケットを送信する。無線端末局（ＳＴＡ１〜５）はキャリアセンス時間（ＴＤ）に渡ってチャネルのアイドル状態を認識した後、時刻（Ｔ３２０）において送信待ち時間を決定する。
【００４８】
無線端末局（ＳＴＡ１）は新たにスロット時間３個分の送信待ち時間（ＴＣＷ３２１）を選択、無線端末局（ＳＴＡ３）、無線端末局（ＳＴＡ５）は前回の送信待ち時間の残り時間（ＴＣＷ３２３，ＴＣＷ３２５）を選択する。
【００４９】
そして無線端末局（ＳＴＡ２）は前回の判定により広げた送信待ち時間を決定する乱数選択範囲の中からスロット時間６個分の送信待ち時間（ＴＣＷ３２２）を選択、無線端末局（ＳＴＡ４）は前回の判定により広げた送信待ち時間を決定する乱数選択範囲の中からスロット時間５個分の送信待ち時間（ＴＣＷ３２４）を選択する。無線端末局（ＳＴＡ５）はスロット時間２個分の送信待ち時間が経過し、かつ送信要求があるので直ちにパケットを送信する。
【００５０】
無線端末局（ＳＴＡ４）は無線端末局（ＳＴＡ５）からのパケット（Ｐ３２５）を正常に受信し、所定の優先アクセス時間（ＴＳ，ＴＳ＜ＴＤ）経過した後、無線端末局（ＳＴＡ５）にパケットを正しく受信したことを示す応答パケット（Ａ３２４）を送信する。
【００５１】
【発明の効果】
請求項１に記載の発明によると、、送信待ち時間を決定する乱数の選択範囲は無線端末局が送信要求があるかないかによらず、乱数を発生させ任意の送信タイミングにおいて送信が成功するかどうかを判断し、最適な送信待ち時間を自律的に判定し続けるという手順をとる。送信待ち時間を決定する乱数選択範囲が送信要求のある無線端末局数よりも少ない場合に、同じ送信待ち時間を選択することで発生するパケットの衝突によるスループットの低下を軽減する効果がある。
【図面の簡単な説明】
【図１】本発明の無線端末局が送信待ち時間を決定するまでのシーケンスを示すフローチャート（その１）である。
【図２】本発明の無線端末局が送信待ち時間を決定するまでのシーケンスを示すフローチャート（その２）である。
【図３】本発明の無線端末局の無線パケット送信制御方法を説明する図である。
【図４】図３の表示について説明する図である。
【図５】従来の無線端末局がパケットを送信するまでのシーケンスを示すフローチャート（その１）である。
【図６】従来の無線端末局がパケットを送信するまでのシーケンスを示すフローチャート（その２）である。
【図７】無線端末局がＣＳＭＡ／ＣＡによる分散制御を行う際の無線パケット送信制御を説明する図（その１）である。
【図８】無線端末局がＣＳＭＡ／ＣＡによる分散制御を行う際の無線パケット送信制御を説明する図（その２）である。
【符号の説明】
ＳＴＡ１〜５    無線端末局
ＴＤ    キャリアセンス時間
ＴＳ    優先アクセス時間
ＴＣＷ３１１〜ＴＣＷ３２５    送信待ち時間
Ｐ１０１〜Ｐ４０２    データパケット
Ａ１０２〜Ａ４０２    応答パケット
【図１】
0003692311.tif 000002
【図２】
0003692311.tif 000003
【図３】
0003692311.tif 000004
【図４】
0003692311.tif 000005
【図５】
0003692311.tif 000006
【図６】
0003692311.tif 000007
【図７】
0003692311.tif 000008
【図８】
0003692311.tif 000009